(57)【要約】【課題】保存する情報量によらず、携帯機器から取得した情報の保存、その情報の携帯機器への復元を、高いセキュリティを確保しつつ容易に行なうことができる情報保存方法、情報復元方法および画像処理装置を提供することを目的とする。【解決手段】通信可能に接続された携帯機器から情報を取得して保存する画像処理装置の情報保存方法であって、携帯機器に保存されている情報を取得して記憶装置に記憶する記憶ステップと、記憶装置に記憶した情報に携帯機器からアクセスする為のアクセス情報１９１を作成する作成ステップと、少なくともアクセス情報１９１を印刷する印刷ステップとを備えたことにより上記課題を解決する。【選択図】図５
2007180736.tif 000002
【特許請求の範囲】
【請求項１】
通信可能に接続された携帯機器から情報を取得して保存する画像処理装置の情報保存方法であって、
前記携帯機器に保存されている情報を取得して記憶装置に記憶する記憶ステップと、
前記記憶装置に記憶した情報に前記携帯機器からアクセスする為のアクセス情報を作成する作成ステップと、
少なくとも前記アクセス情報を印刷する印刷ステップと
を備えた情報保存方法。
【請求項２】
前記作成ステップは、前記情報の記憶場所と前記情報の取得方法とを表す前記アクセス情報を作成することを特徴とする請求項１記載の情報保存方法。
【請求項３】
通信可能に接続された携帯機器から取得した情報を前記携帯機器に復元する画像処理装置の情報復元方法であって、
前記携帯機器から取得して記憶装置に記憶している情報にアクセスする為のアクセス情報を読み取る読取ステップと、
前記アクセス情報が表す情報を前記記憶装置から取得して前記携帯機器に復元する復元ステップと
を備えた情報復元方法。
【請求項４】
前記復元ステップは、前記アクセス情報が表す情報のうち前記携帯機器に復元する情報の種類をユーザに選択させるステップと、
前記アクセス情報が表す情報のうち前記ユーザにより選択された種類の情報を前記携帯機器に復元するステップと
を備えた請求項３記載の情報復元方法。
【請求項５】
前記読取ステップは、前記情報の記憶場所と前記情報の取得方法とを表す前記アクセス情報を読み取ることを特徴とする請求項３又は４記載の情報復元方法。
【請求項６】
通信可能に接続された携帯機器から情報を取得して保存し、その情報を要求に基づき前記携帯機器に復元する画像処理装置であって、
前記携帯機器に保存されている情報を取得して記憶装置に記憶する手段と、
前記記憶装置に記憶した情報に前記携帯機器からアクセスする為のアクセス情報を作成する手段と、
少なくとも前記アクセス情報を印刷する手段と、
印刷された前記アクセス情報を読み取る読取手段と、
前記アクセス情報が表す情報を前記記憶装置から取得して、前記携帯機器に復元する手段と
を備えた画像処理装置。
【発明の詳細な説明】
【技術分野】
【０００１】
本発明は、情報保存方法、情報復元方法および画像処理装置に係り、特に携帯機器から取得した情報を保存する情報保存方法、携帯機器に情報を復元する情報復元方法、情報保存方法と情報復元方法とを利用する画像処理装置に関する。
【背景技術】
【０００２】
近年、携帯電話等の携帯機器は保存しておける情報量が年々増加している。例えば携帯機器には、電話帳データ，画像データ，メールデータ，音楽データ等の情報を保存しておくことができる。このように、携帯機器に保存しておける情報量の増加に伴い、携帯機器には重要な情報が保存されるようになっている。
【０００３】
したがって、従来の携帯機器では保存している情報をバックアップすることが良く行われている。携帯機器に保存しておける情報量が少ない場合は、手書きでメモを取ることでバックアップを行なうことができる。また、携帯機器に保存しておける情報量が多い場合は、ＵＳＢ等で接続されたパソコン等が備える大容量記憶装置に転送することでバックアップを行なうことができる。
【０００４】
しかしながら、メモによるバックアップは情報量が多い場合に対応できず、又、他人が容易に読むことができるという問題があった。一方、パソコン等によるバックアップはパソコン自体の盗難やウィルス等による情報読み出しの危険があり、又、バックアップを行ったパソコンとＵＳＢ等で接続しなければリストアを行なうことができないという問題があった。
【０００５】
上記問題に対応する技術内容として、例えば特許文献１には携帯機器に保存されている情報を二次元バーコードに変換してバックアップを行なうことが開示されている。
【特許文献１】特開２００５−３３４７７号公報
【発明の開示】
【発明が解決しようとする課題】
【０００６】
上記した特許文献１の技術内容では、バックアップを行なう情報量が多くなると、二次元バーコードで表せる情報量に限界があるため、現実的でないという問題があった。従来の携帯機器では、バックアップを行なう情報量が多い場合に、上記問題に対応することができないという問題があった。
【０００７】
本発明は、上記の点に鑑みなされたもので、保存する情報量によらず、携帯機器から取得した情報の保存、その情報の携帯機器への復元を、高いセキュリティを確保しつつ容易に行なうことができる情報保存方法、情報復元方法および画像処理装置を提供することを目的とする。
【課題を解決するための手段】
【０００８】
上記課題を解決するため、本発明は、通信可能に接続された携帯機器から情報を取得して保存する画像処理装置の情報保存方法であって、前記携帯機器に保存されている情報を取得して記憶装置に記憶する記憶ステップと、前記記憶装置に記憶した情報に前記携帯機器からアクセスする為のアクセス情報を作成する作成ステップと、少なくとも前記アクセス情報を印刷する印刷ステップとを備えたことを特徴とする。
【０００９】
また、本発明は、通信可能に接続された携帯機器から取得した情報を前記携帯機器に復元する画像処理装置の情報復元方法であって、前記携帯機器から取得して記憶装置に記憶している情報にアクセスする為のアクセス情報を読み取る読取ステップと、前記アクセス情報が表す情報を前記記憶装置から取得して前記携帯機器に復元する復元ステップとを備えたことを特徴とする。
【００１０】
また、本発明は、通信可能に接続された携帯機器から情報を取得して保存し、その情報を要求に基づき前記携帯機器に復元する画像処理装置であって、前記携帯機器に保存されている情報を取得して記憶装置に記憶する手段と、前記記憶装置に記憶した情報に前記携帯機器からアクセスする為のアクセス情報を作成する手段と、少なくとも前記アクセス情報を印刷する手段と、印刷された前記アクセス情報を読み取る読取手段と、前記アクセス情報が表す情報を前記記憶装置から取得して、前記携帯機器に復元する手段とを備えたことを特徴とする。
【００１１】
なお、本発明の構成要素、表現または構成要素の任意の組合せを、方法、装置、システム、コンピュータプログラム、記録媒体、データ構造などに適用したものも本発明の態様として有効である。
【発明の効果】
【００１２】
本発明によれば、保存する情報量によらず、携帯機器から取得した情報の保存、その情報の携帯機器への復元を、高いセキュリティを確保しつつ容易に行なうことができる情報保存方法、情報復元方法および画像処理装置を提供可能である。
【発明を実施するための最良の形態】
【００１３】
次に、本発明を実施するための最良の形態を、以下の実施例に基づき図面を参照しつつ説明していく。なお、本実施例では画像処理装置の一例として複合機（ＭＦＰ）を例に説明していくが、画像に関する情報を処理する如何なる装置又は機器であってもよい。
【００１４】
画像処理装置とは、プリンタ装置，コピー装置，ファクシミリ装置，スキャナ装置，又は前述した各装置の機能の一部又は全部を１つの筐体内に収納した複合機など、画像に関する情報を処理する装置又は機器である。例えば特開２００２−８４３８３号公報にはプリンタ，コピー，ファクシミリおよびスキャナなどの各装置の機能を１つの筐体内に収納した複合機が記載されている。
【００１５】
複合機は、１つの筐体内に表示部，印刷部及び撮像部などを設けると共に、プリンタ装置，コピー装置，ファクシミリ装置，スキャナ装置にそれぞれ対応するアプリケーションを設け、アプリケーションの切り替えによって、プリンタ装置，コピー装置，ファクシミリ装置，スキャナ装置として動作する。
【００１６】
図１は、本発明による複合機を含むシステムの一実施例の構成図である。図１のシステムは、複合機１及び携帯機器２が、赤外線通信装置，Ｂｌｕｅｔｏｏｔｈ通信装置又はシリアル通信装置等の通信装置３を介して通信可能に接続されている。携帯機器２は、携帯電話，個人向け携帯情報端末（ＰＤＡ）等、ユーザが何らかの情報を保存しておける機器である。
【００１７】
また、図１の複合機１は、制御部１１，表示部１２，アプリケーション管理部１３，送信処理部１４，キー操作部１５，大容量記憶装置１６，外部Ｉ／Ｆ１７，バーコード処理部１８，暗号処理部１９，印刷処理部２０，スキャン処理部２１を含む構成である。複合機１を構成する各ブロックの詳細は、後述する。
【００１８】
図１のシステムでは、携帯機器２の情報をバックアップする機能，携帯機器２へ情報をリストアする機能，情報のバックアップ及びリストアで使用するアプリケーションを携帯機器２へダウンロードする機能が設けられている。
【００１９】
携帯機器２の情報をバックアップする機能，携帯機器２へ情報をリストアする機能，情報のバックアップ及びリストアで使用するアプリケーションを携帯機器２へダウンロードする機能により、図１のシステムでは携帯機器２から情報を取得して複合機１又は複合機１以外の外部のサーバ装置に保存し、その情報を必要なときに携帯機器２へリストアすることができる。
【００２０】
具体的に、複合機１は保存した情報にアクセス情報としてのＵＲＬを付与し、そのＵＲＬを二次元バーコードに変換して紙等の媒体に印刷する。ここでは、ＵＲＬが情報の記憶場所と情報の取得方法とを表している。印刷された二次元バーコードは、人間が見ても判読不能である。
【００２１】
また、携帯機器２へ情報をリストアしたいとき、ユーザは紙等の媒体に印刷された二次元バーコードを複合機１に読み取らせる。複合機１は二次元バーコードを復号してＵＲＬを取得する。複合機１はＵＲＬが表す情報を取得して携帯機器２へリストアできる。
【００２２】
以下、携帯機器２の情報をバックアップする機能，携帯機器２へ情報をリストアする機能，情報のバックアップ及びリストアで使用するアプリケーションを携帯機器２へダウンロードする機能の詳細を順次説明する。
【００２３】
（携帯機器２の情報をバックアップする機能）
図２は携帯機器の情報をバックアップする機能の一例のシーケンス図である。図３及び図４は携帯機器の情報をバックアップする機能の一例の画面遷移図である。なお、図２のシーケンス図は複合機１と携帯機器２との通信準備が整ったあとの処理を表している。
【００２４】
ユーザがキー操作部１５からスキャナを選択すると、表示部１２は携帯機器ボタン１０１を含む画面１００を表示する。ユーザが携帯機器ボタン１０１を押下すると、表示部１２は反転表示された携帯機器ボタン１１１を含む画面１１０を表示する。また、ステップＳ１に進み、キー操作部１５は携帯機器利用要求を制御部１１に対して行なう。
【００２５】
ステップＳ２に進み、制御部１１は外部Ｉ／Ｆ１７及び通信装置３を介して携帯機器２に機器接続確認を行なう。この際のインタフェースには、赤外線やＢｌｕｅｔｏｏｔｈなどの無線通信、或いはシリアル通信ケーブルによる有線通信を利用できる。ステップＳ３に進み、携帯機器２は制御部１１に機器接続確認応答を行なう。この機器接続確認応答には例えば携帯機器２の機器番号が含まれる。
【００２６】
ステップＳ４に進み、制御部１１は携帯機器２との接続が完了したと判定し、表示部１２へ携帯機器接続確認を通知する。表示部１２は、携帯機器２との接続が完了した旨，携帯機器２の機器番号，バックアップボタン１２１，リストアボタン１２２及びアプリ登録ボタン１２３を含む画面１２０を表示する。
【００２７】
ユーザがバックアップボタン１２１を押下すると、表示部１２は反転表示されたバックアップボタン１３１を含む画面１３０を表示する。また、ステップＳ５に進み、キー操作部１５はバックアップ要求を制御部１１に対して行なう。ステップＳ６に進み、制御部１１は携帯機器２にデータ取得要求を行なう。ステップＳ７に進み、制御部１１は携帯機器２に保存されている情報としてのデータを携帯機器２から取得する。
【００２８】
ステップＳ８に進み、制御部１１は携帯機器２から取得したデータを例えば大容量記憶装置１６に一時保管する。このとき、制御部１１は携帯機器２から取得したデータを電話帳データ，画像データ，メールデータ，音楽データ等の情報の種類毎に分類しておくことが望ましい。携帯機器２から取得したデータを情報の種類毎に分類しておくことで、携帯機器２へ情報をリストアするとき、複合機１はリストアする情報の種類をユーザに選択させることができるようになる。
【００２９】
ステップＳ９に進み、制御部１１は表示部１２へ保管先要求を行なう。なお、ステップＳ５〜Ｓ９の間、表示部１２は、携帯機器２からデータの取得中である旨を含む画面１４０を表示する。
【００３０】
制御部１１から保管先要求を受けると、表示部１２は保管先を選択する為のフォルダボタン１５１，サーバーＡボタン１５２，サーバーＢボタン１５３を含む画面１５０を表示する。ユーザは、画面１５０からデータの保管先を選択できる。画面１５０からデータの保管先が選択されると、キー操作部１５はステップＳ１０に進み、保管先を制御部１１に通知する。例えばユーザがフォルダボタン１５１を押下すると、キー操作部１５は制御部１１に保管先としてフォルダを通知する。
【００３１】
ステップＳ１１に進み、制御部１１は表示部１２へ暗号鍵要求を行なう。制御部１１から暗号鍵要求を受けると、表示部１２は暗号鍵を入力する為の入力欄１６１を含む画面１６０を表示する。ユーザは、画面１６０の入力欄１６１から暗号鍵を入力できる。ユーザが暗号鍵を入力欄１６１に入力したあとＯＫボタン１６２を押下すると、表示部１２は反転表示されたＯＫボタン１７１を含む画面１７０を表示する。
【００３２】
また、ステップＳ１２に進み、キー操作部１５は入力された暗号鍵を制御部１１に送信する。ステップＳ１３に進み、制御部１１はユーザにより入力された暗号鍵を例えば大容量記憶装置１６に一時保管する。ステップＳ１４に進み、制御部１１は大容量記憶装置１６に一時保管した携帯機器２から取得したデータおよび暗号鍵を読み出す。ステップＳ１５に進み、制御部１１はステップＳ１４で取得したデータおよび暗号鍵を暗号処理部１９に送信し、暗号化要求を行なう。
【００３３】
暗号処理部１９は受信した暗号鍵を用いてデータの暗号化を行う。ステップＳ１６に進み、暗号処理部１９は暗号化したデータ（暗号化データ）を制御部１１に送信する。ステップＳ１７に進み、制御部１１は受信した暗号化データを大容量記憶装置１６に一時保管する。ステップＳ１８に進み、制御部１１は一時保管した暗号化データを読み出す。
【００３４】
保管先としてフォルダが選択されている場合、制御部１１はステップＳ１９に進み、保管先として選択されているフォルダに暗号化データを保存する。一方、保管先として複合機１以外の外部のサーバ装置（サーバーＡ又はサーバーＢ）が選択されている場合、制御部１１はステップＳ２０に進み、暗号化データを送信処理部１４に送信し、保管先として選択されているサーバ装置への送信を要求する。なお、暗号化データは暗号化されているため、複合機１と外部のサーバ装置との間を転送されているときに盗聴などの被害を受けない。
【００３５】
送信処理部１４は、保管先として選択されているサーバ装置に暗号化データを送信したあと、ステップＳ２１に進み、サーバー送信完了を制御部１１に通知する。ステップＳ２２に進み、制御部１１は保管先に保存された暗号化データにアクセスする為のＵＲＬを生成する。そして、制御部１１はステップＳ２２で生成したＵＲＬをバーコード処理部１８により二次元バーコードデータへ変換する。
【００３６】
ステップＳ２３に進み、制御部１１はＵＲＬから変換された二次元バーコードデータを印刷処理部２０に送信し、預かり証印刷を要求する。印刷処理部２０は、受信した二次元バーコードデータを利用して、図５の預かり証を印刷する。なお、ステップＳ１２〜Ｓ２３の間、表示部１２は、預かり証を印刷している旨を含む画面１８０を表示する。
【００３７】
図５は、印刷された預かり証の一例のイメージ図である。図５の預かり証１９０は保管先に保存された暗号化データにアクセスする為のＵＲＬが、二次元バーコードの一例であるＱＲコード１９１に変換されて印刷されている。預かり証１９０は、情報をバックアップしたユーザに渡される。そして、ステップＳ２４に進み、印刷処理部２０は預かり証印刷完了を制御部１１に通知する。
【００３８】
以上、本発明による複合機１は、携帯機器２の情報を選択された保管先にバックアップすると共に、バックアップした情報にアクセスする為のアクセス情報（ＵＲＬから変換された２次元バーコード等）を含む預かり証を印刷できる。
【００３９】
（携帯機器２へ情報をリストアする機能）
図６は携帯機器へ情報をリストアする機能の一例のシーケンス図である。図７及び図８は携帯機器へ情報をリストアする機能の一例の画面遷移図である。なお、図６のシーケンス図は複合機１と携帯機器２との通信準備が整ったあとの処理を表している。ステップＳ１０１〜Ｓ１０４の処理は、図２のステップＳ１〜Ｓ４の処理と同様であり、説明を省略する。
【００４０】
画面２２０が表示されているとき、ユーザがリストアボタン２２１を押下すると、表示部１２は反転表示されたリストアボタン２３１を含む画面２３０を表示する。また、ステップＳ１０５に進み、キー操作部１５はリストア要求を制御部１１に対して行なう。この後、表示部１２は預かり証をスキャナにセットしてスタートボタンを押す旨を含む画面２４０を表示する。
【００４１】
リストア要求を受けると、制御部１１はステップＳ１０６に進み、スキャン処理部２１にスキャン要求を行なう。ユーザが預かり証をスキャナ装置にセットしてスタートボタンを押下すると、スキャン処理部２１は預かり証からスキャンデータを読み取る。ステップＳ１０７に進み、スキャン処理部２１は制御部１１にスキャンデータを送信する。
【００４２】
ステップＳ１０８に進み、制御部１１はスキャンデータをバーコード処理部１８に送信してバーコードデコード要求を行なう。バーコード処理部１８はスキャンデータに含まれる二次元バーコードの一例であるＱＲコード１９１をデコードし、保管先に保存された暗号化データにアクセスする為のＵＲＬを取得する。バーコード処理部１８はステップＳ１０９に進み、取得したＵＲＬを制御部１１に送信する。
【００４３】
ステップＳ１１０に進み、制御部１１は受信したＵＲＬから暗号化データが保存されている保管先を解析する。保管先がフォルダである場合、制御部１１はステップＳ１１１に進み、保管先であるフォルダから暗号化データを取得する。一方、保管先が複合機１以外の外部のサーバ装置（サーバーＡ又はサーバーＢ）である場合、制御部１１はステップＳ１１２に進み、サーバー保管データ取得要求を送信処理部１４に行なう。すると、送信処理部１４は保管先である複合機１以外の外部のサーバ装置からサーバー保管データとしての暗号化データを取得する。ステップＳ１１３に進み、制御部１１は送信処理部１４から暗号化データを取得する。
【００４４】
なお、暗号化データは暗号化されているため、複合機１と外部のサーバ装置との間を転送されるときに盗聴などの被害を受けない。暗号化データを取得したあと、制御部１１はステップＳ１１４に進み、取得した暗号化データを例えば大容量記憶装置１６に一時保管する。
【００４５】
ステップＳ１１５に進み、制御部１１は表示部１２へ暗号鍵要求を行なう。制御部１１から暗号鍵要求を受けると、表示部１２は暗号鍵を入力する為の入力欄２５１を含む画面２５０を表示する。ユーザは画面２５０の入力欄２５１から暗号鍵を入力できる。ユーザが暗号鍵を入力欄２５１に入力したあとＯＫボタン２５２を押下すると、表示部１２は反転表示されたＯＫボタン２６１を含む画面２６０を表示する。
【００４６】
また、ステップＳ１１６に進み、キー操作部１５は入力された暗号鍵を制御部１１に送信する。ステップＳ１１７に進み、制御部１１はユーザにより入力された暗号鍵を例えば大容量記憶装置１６に一時保管する。ステップＳ１１８に進み、制御部１１は大容量記憶装置１６に一時保管した暗号化データおよび暗号鍵を読み出す。そして、制御部１１はステップＳ１１９に進み、ステップＳ１１８で取得した暗号化データおよび暗号鍵を暗号処理部１９に送信し、復号要求を行なう。
【００４７】
暗号処理部１９は、受信した暗号鍵を用いてデータの復号を行う。ステップＳ１２０に進み、暗号処理部１９は復号したデータ（復号データ）を制御部１１に送信する。ステップＳ１２１に進み、制御部１１はステップＳ１２０で受信した復号データを大容量記憶装置１６に一時保管する。
【００４８】
ステップＳ１２２に進み、制御部１１は表示部１２にデータ選択要求を行なう。データ選択要求を受けると、表示部１２はリストアする情報の種類をユーザに選択させる画面２７０を表示する。画面２７０は、リストアする情報の種類として電話帳データを選択する電話帳ボタン２７１，画像データを選択する画像ボタン２７２，メールデータを選択するメールボタン２７３，音楽データを選択する音楽ボタン２７４を含む。
【００４９】
ユーザは、画面２７０からリストアする情報の種類を選択できる。画面２７０からリストアする情報の種類が選択されると、キー操作部１５はステップＳ１２３に進み、リストアする情報の種類を表す選択リストを制御部１１に通知する。例えばユーザが電話帳ボタン２７１及び音楽ボタン２７４を選択してスタートボタンを押下すると、表示部１２は反転表示された電話帳ボタン２８１及び音楽ボタン２８２を含む画面２８０を表示する。ステップＳ１２４に進み、制御部１１はキー操作部１５から受信した選択リストに応じてリストアする情報の種類を選択し、その種類の情報を大容量記憶装置１６から取得する。
【００５０】
ステップＳ１２５に進み、制御部１１は大容量記憶装置１６から取得した情報を携帯機器２に送信する。携帯機器２は制御部１１から受信した情報をリストアする。ステップＳ１２６に進み、携帯機器２はデータ送信完了を制御部１１に通知して処理を終了する。なお、ステップＳ１２３〜Ｓ１２６の間、表示部１２はデータを携帯機器２に送信している旨を含む画面２９０を表示する。
【００５１】
以上、本発明による複合機１は、バックアップした情報にアクセスする為のアクセス情報を預かり証から読み取り、そのアクセス情報が表す保管先から情報を取得して携帯機器２へリストアできる。
【００５２】
（アプリケーションを携帯機器２へダウンロードする機能）
図９は、アプリケーションを携帯機器へダウンロードする機能の一例のシーケンス図である。図１０はアプリケーションを携帯機器へダウンロードする機能の一例の画面遷移図である。携帯機器２の情報をバックアップするとき、或いは携帯機器２へ情報をリストアするときには、携帯機器２側に専用のアプリケーションが必要となる。ここでは、携帯機器２の情報をバックアップするとき、或いは携帯機器２へ情報をリストアするときに利用する専用のアプリケーションを携帯機器２へダウンロードする機能について説明する。
【００５３】
なお、図９のシーケンス図は複合機１と携帯機器２との通信準備が整ったあとの処理を表している。ステップＳ２０１〜Ｓ２０３の処理は、図２のステップＳ１〜Ｓ３の処理と同様であり、説明を省略する。
【００５４】
ステップＳ２０４に進み、制御部１１は機器接続確認応答に含まれる機器番号（機種情報）を例えば大容量記憶装置１６に一時保管する。その後、ステップＳ２０５に進み、制御部１１は携帯機器２との接続が完了したと判定し、表示部１２へ携帯機器接続確認を通知する。
【００５５】
表示部１２は、携帯機器２との接続が完了した旨，携帯機器２の機器番号，バックアップボタン３２１，リストアボタン３２２及びアプリ登録ボタン３２３を含む画面３２０を表示する。
【００５６】
ユーザがアプリ登録ボタン３２３を押下すると、表示部１２は反転表示されたアプリ登録ボタン３３１を含む画面３３０を表示する。また、ステップＳ２０６に進み、キー操作部１５はアプリケーションダウンロード要求を制御部１１に対して行なう。ステップＳ２０７に進み、制御部１１はステップＳ２０４で一時保管した機器番号（機種情報）を読み出し、接続されている携帯機器２の種類を判別する。これは、携帯機器２の種類により適応するアプリケーションが異なる為である。ステップＳ２０８に進み、制御部１１は判別した携帯機器２の種類に適応するアプリケーションを受信する。
【００５７】
判別した携帯機器２の種類に適応するアプリケーションを受信すると、制御部１１は携帯機器２へアプリケーションをダウンロードする旨，ＯＫボタン３４１，取消しボタン３４２を含む画面３４０を表示部１２に表示させる。
【００５８】
ユーザがＯＫボタン３４１を押下すると、制御部１１はステップＳ２０９に進み、携帯機器２の種類に適応するアプリケーションを携帯機器２へデータ送信することで携帯機器２へダウンロードする。ステップＳ２１０に進み、携帯機器２はデータ送信完了を制御部１１に通知して処理を終了する。
【００５９】
以上、本発明による複合機１は、携帯機器２の情報をバックアップするとき、或いは携帯機器２へ情報をリストアするときに必要なアプリケーションを、携帯機器２の種類に適応するように選択してダウンロードすることができる。
【００６０】
本発明は、具体的に開示された実施例に限定されるものではなく、特許請求の範囲から逸脱することなく、種々の変形や変更が可能である。
【図面の簡単な説明】
【００６１】
【図１】本発明による複合機を含むシステムの一実施例の構成図である。
【図２】携帯機器の情報をバックアップする機能の一例のシーケンス図である。
【図３】携帯機器の情報をバックアップする機能の一例の画面遷移図（１／２）である。
【図４】携帯機器の情報をバックアップする機能の一例の画面遷移図（２／２）である。
【図５】印刷された預かり証の一例のイメージ図である。
【図６】携帯機器へ情報をリストアする機能の一例のシーケンス図である。
【図７】携帯機器へ情報をリストアする機能の一例の画面遷移図（１／２）である。
【図８】携帯機器へ情報をリストアする機能の一例の画面遷移図（２／２）である。
【図９】アプリケーションを携帯機器へダウンロードする機能の一例のシーケンス図である。
【図１０】アプリケーションを携帯機器へダウンロードする機能の一例の画面遷移図である。
【符号の説明】
【００６２】
１    複合機
２    携帯機器
３    通信装置
１１    制御部
１２    表示部
１３    アプリケーション管理部１３
１４    送信処理部
１５    キー操作部
１６    大容量記憶装置
１７    外部Ｉ／Ｆ
１８    バーコード処理部
１９    暗号処理部
２０    印刷処理部
２１    スキャン処理部
１９０    預かり証
１９１    ＱＲコード
【図１】
2007180736.tif 000003
【図２】
2007180736.tif 000004
【図３】
2007180736.tif 000005
【図４】
2007180736.tif 000006
【図５】
2007180736.tif 000007
【図６】
2007180736.tif 000008
【図７】
2007180736.tif 000009
【図８】
2007180736.tif 000010
【図９】
2007180736.tif 000011
【図１０】
2007180736.tif 000012